(57)【要約】    【課題】  収容部に収容した携帯機器を確実に充電できる携帯機器用充電装置を提供する。    【解決手段】  傾いた状態で収容部６０に差し込まれた携帯機器１０が、収容部６０の対向壁６４と当接壁６２とに当接し、携帯機器１０の受電端子３４が携帯機器用充電装置５０の充電電源端子８０から離れていたとしても、対向壁６４のローラ７４と当接壁６２のローラ７２とにより、傾いた携帯機器１０が収容部６０の底部６９に当接する位置まで自重で下がり、携帯機器１０の受電端子３４に携帯機器用充電装置５０の充電電源端子８０が接し、携帯機器１０を充電することができるようになる。【選択図】  図２
2007151357.tif 000002
【特許請求の範囲】
【請求項１】
二次電池で駆動する携帯機器を充電する携帯機器用充電装置であって、
前記携帯機器を収容する開口を備えた収容部と、
前記収容部へ延在し、前記携帯機器の受電端子に接触する充電電源端子と、
前記充電電源端子に電力を供給する充電用電源部と、を備え、
前記収容部の前記開口にローラを配置したことを特徴とする携帯機器用充電装置。
【請求項２】
二次電池で駆動する携帯機器を充電する携帯機器用充電装置であって、
前記携帯機器が傾いた状態で当接する当接壁と、該当接壁に対向する対向壁とを有し、当該携帯機器を傾斜させた状態で収容する収容部と、
前記収容部へ延在し、前記携帯機器の受電端子に接触する充電電源端子と、
前記充電電源端子に電力を供給する充電用電源部と、を備え、
前記収容部の対向壁の上端部と、前記当接壁の該対向壁の上端部よりも低い位置とにローラをそれぞれ配置したことを特徴とする携帯機器用充電装置。
【請求項３】
前記対向壁に配置するローラと、前記当接壁に配置するローラとを水平方向にずらしてそれぞれ複数設けることを特徴とする請求項２の携帯機器用充電装置。
【請求項４】
前記ローラをローラ軸受で支承したことを特徴とする請求項１〜請求項３のいずれか１の携帯機器用充電装置。
【請求項５】
前記ローラを垂直方向に対してずらして複数個設けることを特徴とする請求項〜請求項４のいずれか１の携帯機器用充電装置。
【発明の詳細な説明】
【技術分野】
【０００１】
本発明は、二次電池で駆動する携帯機器を収容部に収容して充電する携帯機器用充電装置に関するものである。
【背景技術】
【０００２】
二次電池を搭載する携帯電話、情報コード読取装置等の携帯機器は、充電装置により充電を行いながら使用されている。充電装置には、充電装置側に備えられた収容部に携帯機器を差し込み、携帯機器の受電端子を収容部に設けられた充電電源端子へ接触させる充電方式が広く採用されている。
【０００３】
ここで、充電装置側の充電電源端子と携帯機器の受電端子とが適正に接触しない限り、充電が行われないため、例えば、特許文献１等に、充電装置側にガイドリブを設け、携帯機器側に凹部を設け、ガイドリブで凹部を案内することで、充電電源端子に携帯機器の受電端子が適正に接触するようにした構成が示されている。
【特許文献１】特開平８−１５４３４２号公報
【発明の開示】
【発明が解決しようとする課題】
【０００４】
しかしながら、特許文献１の技術では、例えば、図７に示すように携帯機器１１０を充電器１５０の収容部１６０に収容した状態であっても、携帯機器１１０の端部が収容部１６０の側壁１６４と当接している場合、充電器１５０側の充電電源端子１８０に携帯機器１１０の受電端子１３４が接触せず、充電が行えない事態が発生する。
【０００５】
本発明は、上述した課題を解決するためになされたものであり、その目的とするところは、収容部に収容した携帯機器を確実に充電できる携帯機器用充電装置を提供することにある。
【課題を解決するための手段】
【０００６】
上記目的を達成するため、請求項１の発明は、二次電池３２で駆動する携帯機器１０を充電する携帯機器用充電装置５０であって、
前記携帯機器１０を収容する開口６１を備える収容部６０と、
前記収容部６０へ延在し、前記携帯機器１０の受電端子３４に接触する充電電源端子８０と、
前記充電電源端子８０に電力を供給する充電用電源部８２と、を備え、
前記収容部６０の前記開口６１にローラ７４を配置したことを技術的特徴とする。
【０００７】
請求項１の携帯機器用充電装置５０では、携帯機器１０を収容する収容部６０の開口６１にローラ７４を配置してあるため、例え、傾いた状態で収容部６０に差し込まれた携帯機器１０が、収容部６０の開口６１と側壁６２とに当接し、携帯機器１０の受電端子３４が携帯機器用充電装置５０の充電電源端子８０から離れていたとしても、開口６１のローラ７４により、傾いた携帯機器１０が収容部６０の底部６９に当接する位置まで自重で下がり、携帯機器１０の受電端子３４に携帯機器用充電装置５０の充電電源端子８０が接し、携帯機器１０を充電することができるようになる。
【０００８】
請求項２の発明は、二次電池３２で駆動する携帯機器１０を充電する携帯機器用充電装置５０であって、
前記携帯機器１０が傾いた状態で当接する当接壁６２と、該当接壁６２に対向する対向壁６４とを有し、当該携帯機器１０を傾斜させた状態で収容する収容部６０と、
前記収容部６０へ延在し、前記携帯機器１０の受電端子３４に接触する充電電源端子８０と、
前記充電電源端子８０に電力を供給する充電用電源部８２と、を備え、
前記収容部６０の対向壁６４の上端部と、前記当接壁６２の該対向壁６４の上端部よりも低い位置とにローラ７２、７４をそれぞれ配置したことを技術的特徴とする。
【０００９】
請求項２の携帯機器用充電装置５０では、携帯機器１０を収容する収容部６０の対向壁６４の上端部と、当接壁６２の該対向壁６４の上端部よりも低い位置とにローラ７２、７４を配置してあるため、例え、傾いた状態で収容部６０に差し込まれた携帯機器１０が、収容部６０の対向壁６４の上端部と当接壁６２の該対向壁６４の上端部よりも低い位置とに当接し、携帯機器１０の受電端子３４が携帯機器用充電装置５０の充電電源端子８０から離れていたとしても、対向壁６４のローラ７４と当接壁６２のローラ７２とにより、傾いた携帯機器１０が収容部６０の底部６９に当接する位置まで自重で下がり、携帯機器１０の受電端子３４に携帯機器用充電装置５０の充電電源端子８０が接し、携帯機器１０を充電することができるようになる。
【００１０】
請求項３の携帯機器用充電装置５０では、対向壁６４に配置するローラ７４Ｒ、７４Ｌと、当接壁６２に配置するローラ７２Ｒ、７２Ｌとを水平方向にずらしてそれぞれ複数設けられているので、ローラ７２Ｒ、７２Ｌ、７４Ｒ、７４Ｌと水平方向に傾けいた状態で携帯機器１０が収容部６０に差し込まれても、複数のローラ７２Ｒ、７２Ｌ、７４Ｒ、７４Ｌが独立して回転可能であるため、水平方向に傾いた携帯機器１０が収容部６０の底部６９に当接する位置まで自重で下がり、携帯機器１０の受電端子３４に携帯機器用充電装置５０の充電電源端子８０が接し、携帯機器１０を充電することができるようになる。
【００１１】
請求項４の携帯機器用充電装置５０では、ローラ７２、７４をローラ軸受７７で支承しているので、どの方向に傾けいた状態で携帯機器１０が収容部６０に差し込まれても、ローラ７２、７４が自在に回転するため、傾いた携帯機器１０が収容部６０の底部６９に当接する位置まで自重で下がり、携帯機器１０の受電端子３４に携帯機器用充電装置５０の充電電源端子８０が接し、携帯機器１０を充電することができるようになる。
【００１２】
請求項５の携帯機器用充電装置５０では、ローラ７２Ａ、７２Ｂ、７２Ｃ、７４Ａ、７４Ｂ、７４Ｃを垂直方向に対してずらして複数個設けられているので、傾いた状態で収容部６０に差し込まれても、携帯機器１０が収容部６０のいずれかのローラ７２Ａ、７２Ｂ、７２Ｃ、７４Ａ、７４Ｂ、７４Ｃと当接し、携帯機器１０が収容部６０の底部６９に当接する位置まで自重で下がり、携帯機器１０の受電端子３４に携帯機器用充電装置５０の充電電源端子８０が接し、携帯機器１０を充電することができるようになる。
【発明を実施するための最良の形態】
【００１３】
[第１実施形態]
以下、本発明の携帯機器用充電装置の第１実施形態について図を参照して説明する。まず、本実施形態に係る携帯機器用充電装置により充電される情報コード読取装置１０の構成概要を図１に基づいて説明する。
図１に示すように、バーコードＱを読み取る情報コード読取装置１０は、主に、縦長のほぼ矩形箱状なすハウジング１１と、このハウジング１１内に収容される回路部２０と、同じくこのハウジング１１内に収容されて回路部２０に駆動電力を供給する二次電池３２と、により構成されている。
【００１４】
ハウジング１１は、例えば、ＡＢＳ樹脂等の合成樹脂からなる成形部品で、その一端側に、ハウジング１１の裏面方向に前傾するように「首曲がり形状」をなす読取口１１ａを備えている。この読取口１１ａは、後述する回路部２０の受光センサ２３に入射する入射光を導入可能な開口部である。読取口１１ａの近傍には、入射光を受光センサ２３側に反射する反射鏡２６が設けられている。このハウジング１１の他端側には、二次電池３２を収容する電池ボックス３０が着脱自在に取り付けられている。電池ボックス３０には、当該二次電池３２への充電用の受電端子３４が設けられている。ハウジング１１の表面側には液晶表示器４６を取付可能な開口部も形成されており、情報コード読取装置１０の使用者が液晶表示器４６に表示する表示内容を視覚的に把握可能に構成している。該液晶表示器４６に隣接して操作スイッチ４８が設けられている。
【００１５】
回路部２０は、ハウジング１１の内部に収容されているプリント配線板１５、１６に実装される各種の電子部品１８等によって構成されている。即ち、回路部２０は、主に、照明光源２５、受光センサ２３、結像レンズ２７等の光学系と、メモリ１９、制御回路４０、液晶表示器４６等のマイクロコンピュータ系と、二次電池３２等の電源系と、から構成されている。
【００１６】
引き続き、該情報コード読取装置１０を充電する充電装置５０の構成について図２及び図３を参照して説明する。
図２（Ａ）は充電装置５０の平面図であり、図２（Ｂ）は側面図であり、図２（Ｃ）は、図２（Ａ）のＣ−Ｃ断面図である。図３（Ａ）は、充電装置５０へ情報コード読取装置１０を差し込んだ状態を示し、図３（Ｂ）は、充電装置５０による情報コード読取装置１０への充電可能状態を示す説明図である。
【００１７】
図２（Ａ）に示すように充電装置５０は、情報コード読取装置１０を収容する開口６１を備える収容部６０を有する。収容部６０は、情報コード読取装置１０が傾斜状態で当接する当接壁６２（図３（Ｂ）参照）と、該当接壁６２と対向する対向壁６４と、当接壁６２と対向壁６４との間に側壁６６、６８と、情報コード読取装置１０の底部と当接する底部６９とを有する。対向壁６４の上端、即ち、収容部６０の開口６１には、凹部６４ａが形成され、該凹部６４ａに円筒状樹脂製ローラ７４が軸７６により支持されている。同様に、当接壁６２のの該対向壁６４の上端部よりも低い位置に凹部６２ａが形成され、該凹部６２ａにローラ７２が軸７６により支持されている。当接壁６２からは、バネ鋼線製の充電電源端子８０が突出している。該充電電源端子８０には、電源ライン８４を介して充電用電源部８２から充電電流が供給される。該充電用電源部８２は、図示しない電力ケーブルを介して商用１００Ｖ電圧が供給され、二次電池３２を充電するための電位を生成する。
【００１８】
第１実施形態の充電装置５０では、図３（Ａ）に示すように傾いた状態で収容部６０に差し込まれた携帯機器１０が、収容部６０の対向壁６４の上端部と当接壁６２の該対向壁６４の上端部よりも低い位置とに当接し、携帯機器１０の受電端子３４が充電装置５０の充電電源端子８０から離れていたとしても、対向壁６４のローラ７４と当接壁６２のローラ７２とに案内され、図３（Ｂ）に示すように携帯機器１０が収容部６０の底部６９に当接する位置まで自重で下がり、携帯機器１０の受電端子３４に携帯機器用充電装置５０の充電電源端子８０が接し、携帯機器１０を充電することができるようになる。
【００１９】
[第２実施形態]
図４（Ａ）は、第２実施形態に係る充電装置の平面図を示している。第１実施形態の充電装置５０では、ローラ７２、７４が円筒形状に形成されていた。これに対して、第２実施形態の充電装置５０では、ローラ７２、７４の表面にＲが付けられている。第２実施形態では、ローラ７２、７４が情報コード読取装置１０に点接触するため、第１実施形態のローラよりも回転が円滑である利点がある。
【００２０】
[第３実施形態]
図４（Ｂ）は、第３実施形態に係る充電装置の平面図を示している。第１実施形態、第２実施形態の充電装置５０では、ローラ７２、７４が１個ずつ配置されていた。これに対して、第３実施形態の充電装置５０では、対向壁６４に配置するローラ７４Ｒ、７４Ｌと、当接壁６２に配置するローラ７２Ｒ、７２Ｌとを水平方向にずらしてそれぞれ複数設けてある。このため、ローラ７２Ｒ、７２Ｌ、７４Ｒ、７４Ｌと水平方向に傾けいた状態で携帯機器１０が収容部６０に差し込まれても、複数のローラ７２Ｒ、７２Ｌ、７４Ｒ、７４Ｌが独立して回転可能であるため、水平方向に傾いた携帯機器１０が収容部６０の底部６９に当接する位置まで自重で下がり、携帯機器１０の受電端子３４に携帯機器用充電装置５０の充電電源端子８０が接し、携帯機器１０を充電することができるようになる。
【００２１】
[第４実施形態]
図５（Ａ）は、第４実施形態に係る充電装置の平面図を示し、図５（Ｂ）は、図５（Ａ）中のローラ球７４を拡大して示している。第１〜第３実施形態の充電装置５０では、ローラ７２、７４が軸７６により回転可能に枢支されていた。これに対して、第４実施形態の充電装置５０では、球形のローラ球７２、７７が１対の軸受７７、７７に軸支されている。第４実施形態の充電装置５０では、ローラ球７２、７４をローラ軸受７７、７７で支承しているので、どの方向に傾けいた状態で携帯機器１０が収容部６０に差し込まれても、ローラ球７２、７４が自在に回転するため、傾いた携帯機器１０が収容部６０の底部６９に当接する位置まで自重で下がり、携帯機器１０の受電端子３４に充電装置５０の充電電源端子８０が接し、携帯機器１０を充電することができるようになる。
【００２２】
[第５実施形態]
図５（Ｃ）は、第５実施形態に係る充電装置の平面図を示している。図５（Ａ）を参照して上述した第４実施形態の充電装置５０では、ローラ球７２、７４が１個ずつ配置されていた。これに対して、第５実施形態の充電装置５０では、対向壁６４に配置するローラ球７４Ｒ、７４Ｌと、当接壁６２に配置するローラ球７２Ｒ、７２Ｌとを水平方向にずらしてそれぞれ複数設けてある。このため、ローラ球７２Ｒ、７２Ｌ、７４Ｒ、７４Ｌと水平方向に傾けいた状態で携帯機器１０が収容部６０に差し込まれても、複数のローラ球７２Ｒ、７２Ｌ、７４Ｒ、７４Ｌが独立して回転可能であるため、水平方向に傾いた携帯機器１０が収容部６０の底部６９に当接する位置まで自重で下がり、携帯機器１０の受電端子３４に携帯機器用充電装置５０の充電電源端子８０が接し、携帯機器１０を充電することができるようになる。
【００２３】
[第６実施形態]
図６（Ａ）は第６実施形態の充電装置５０の平面図であり、図６（Ｂ）は側面図であり、図６（Ｃ）は、図６（Ａ）のＣ２−Ｃ２断面図である。
第６実施形態の充電装置５０では、当接壁６２にローラ７２Ａ、７２Ｂ、７２Ｃが、対向壁６４に７４Ａ、７４Ｂ、７４Ｃが垂直方向に対してずらして複数個設けられている。このため、傾いた状態で収容部６０に差し込まれても、携帯機器１０が収容部６０のいずれかのローラ７２Ａ、７２Ｂ、７２Ｃ、７４Ａ、７４Ｂ、７４Ｃと当接し、携帯機器１０が収容部６０の底部６９に当接する位置まで自重で下がり、携帯機器１０の受電端子３４に充電装置５０の充電電源端子８０が接し、携帯機器１０を充電することができるようになる。
【産業上の利用可能性】
【００２４】
上述した実施形態では、本発明の携帯機器として情報コード読取装置１０に充電する充電装置を例示したが、例えば、携帯電話、携帯端末、電動工具、髭剃り機等の種々の携帯機器の充電装置に本発明の構成は適用可能である。
【図面の簡単な説明】
【００２５】
【図１】本発明の第１実施形態に係る情報コード読取装置の断面図である。
【図２】図２（Ａ）は第１実施形態に係る充電装置の平面図であり、図２（Ｂ）は側面図であり、図２（Ｃ）は、図２（Ａ）のＣ−Ｃ断面図である。
【図３】図３（Ａ）、図３（Ｂ）は、充電装置による情報コード読取装置への充電可能状態を示す説明図である。
【図４】図４（Ａ）は第２実施形態に係る充電装置の平面図であり、図４（Ｂ）は第３実施形態に係る充電装置の平面図である。
【図５】図５（Ａ）は第４実施形態に係る充電装置の平面図であり、図５（Ｂ）は、図５（Ａ）中のローラ球を拡大して示す図であり、図４（Ｃ）は第５実施形態に係る充電装置の平面図である。
【図６】図６（Ａ）は第６実施形態に係る充電装置の平面図であり、図６（Ｂ）は側面図であり、図６（Ｃ）は、図６（Ａ）のＣ２−Ｃ２断面図である。
【図７】従来技術に係る充電装置の説明図である。
【符号の説明】
【００２６】
１０  情報コード読取装置（携帯機器）
３２  二次電池
３４  受電端子
５０  充電装置
６０  収容部
６２  当接壁
６４  対向壁
６９  底部
７２、７２Ｒ、７２Ｌ、７４、７４Ｒ、７４Ｌ  ローラ
８０  充電電源端子
８２  充電部
【図１】
2007151357.tif 000003
【図２】
2007151357.tif 000004
【図３】
2007151357.tif 000005
【図４】
2007151357.tif 000006
【図５】
2007151357.tif 000007
【図６】
2007151357.tif 000008
【図７】
2007151357.tif 000009